(57)【要約】【課題】極めて簡単な構造で施工も容易であり、十分な貯水量を持ち樹木の必要に応じて水を長期間にわたって供給することができる、街路樹、公園の樹木等、特に都市部の道路脇のグリーンベルトや公園に植栽された樹木等の灌水に好適に用いることができる簡易自動灌水装置を提供する。【解決手段】感温点が１０〜４０℃の間にある感温吸排水性樹脂粉末を分散させた多孔性成型体、好ましくは貯水量が５０〜２００Ｌ、と、該多孔性成型体上に載置される通水孔を有するカバー部材とを具備した、簡易自動灌水装置。【選択図】図１
2006280267.tif 000002
【特許請求の範囲】
【請求項１】
感温点が１０〜４０℃の間にある感温吸排水性樹脂粉末を分散させた多孔性成型体と、該多孔性成型体上に載置される通水孔を有するカバー部材とを具備した、簡易自動灌水装置。
【請求項２】
多孔性成型体の貯水量が５０〜２００Ｌである、請求項１記載の簡易自動灌水装置。
【発明の詳細な説明】
【技術分野】
【０００１】
本発明は、街路樹、公園の樹木等、特に都市部の道路脇のグリーンベルトや公園に植栽された樹木等の灌水に用いられる、簡便な自動灌水装置に関する。
【背景技術】
【０００２】
道路や公園等に植栽される樹木は、特に都市部においては、樹木が植えられた周辺の範囲を除いて大部分が舗装されいる。そのため、植栽時には土壌として理化学的に優れた客土が通常用いられるものの、雨水等が地中に供給されにくく、樹木が成長するには極めて過酷な条件になっている。そこで、樹木の枯れを防ぐ為、定期的な灌水、特に植え付け直後の活着期や夏場等の乾燥時には灌水が欠かせない作業となっている。かかる灌水には、散水車等を利用するケースが多いのが実情であるが、道路脇のグリーンベルト等では低木が数多く植栽されていることも多く、これらに十分な水を供給するためにはゆっくりと散水する必要があり、時間がかかるという問題があった。また、水道整備等の灌水装置を設置し樹木に水を供給する方法もとられているが、費用がかさむという問題があった。
【０００３】
そこで、簡便な方法でこれら樹木に灌水する方法が提案されており、例えば、特許文献１には、樹木の根部を囲むように複数の中空の灌水用容器を地表に臨ませた状態で地中に埋設し、該容器から地表に水を補給する方法が、また、特許文献２には、成木、幹等の下方にゴム製の集雨升を載置した貯水槽を設け、該貯水槽から毛管自水紐を利用して長期的に根部に水分を補給する方法が、それぞれ開示されている。しかしながら、これらは十分なものではなく、更に優れたものが求められていた。
【特許文献１】特開平７−１７７８２８号公報
【特許文献２】特開２０００−１８８９７８号公報
【発明の開示】
【発明が解決しようとする課題】
【０００４】
本発明の課題は、灌水作業の低減を図り、かつ、天然雨水をできるだけ有効に活用できる、道路脇や公園に設置したときも美観を損なわない、簡便な自動灌水装置を提供することにある。
【課題を解決するための手段】
【０００５】
本発明者らは、感温性吸排水性樹脂を利用することにより、極めて簡単な構造の装置により、かかる課題を解決できることを見いだし、本発明に到達した。
すなわち本発明は、
（１）感温点が１０〜４０℃の間にある感温吸排水性樹脂粉末を分散させた多孔性成型体と、該多孔性成型体上に載置される通水孔を有するカバー部材とを具備した、簡易自動灌水装置、
（２）多孔性成型体の貯水量が５０〜２００Ｌである、請求項１記載の簡易自動灌水装置、
を提供するものである。
【発明の効果】
【０００６】
本発明の簡易自動灌水装置は、極めて簡単な構造で施工も容易であり、十分な貯水量を持ち樹木の必要に応じて水を長期間にわたって供給することができるため、従来、管理負荷の大きかった灌水作業を大幅に低減することができる。また、設置場所に合わせた意匠とすることができるため、美観を損なうこともない。
【発明を実施するための最良の形態】
【０００７】
以下、本発明を図面を参照して詳細に説明する。
図１は、本発明の一例の斜視図であり、図２は、本発明の装置の設置状況の一例である。
本発明の簡易自動灌水装置１は、図１に示すように、感温吸排水性樹脂２を分散させた多孔性成型体３と、該多孔性成型体３の上に載置された通水孔４を有するカバー部材５を備えている。カバー部材５は、図１では多孔性成型体３の上面と略同一の形状であるが、多孔性成型体の側面をもカバーできる形状とすることもできる。
多孔性成型体３は、上方から供給された水を吸水貯水する役割（貯水部）を担う。一方、カバー部材５は、通水孔を通して多孔性成型体に水を供給するとともに、貯水部から上方に水が蒸発損失することを防ぐ役割を担う。
【０００８】
多孔性成型体３に分散される感温吸排水性樹脂２は、特定の設定温度（以下、感温点という。）以下の温度では水を吸収保持し、感温性を超えると吸収保持していた水を外部に排出する樹脂で、水中で下限臨界共溶温度を有するポリマーを架橋することによって得られる。具体的には、Ｎ−イソプロピルアクリルアミド等のＮ−アルキル置換アクリルアミドモノマーを主成分とし、架橋性の多官能モノマーを共重合することによって得られ、必要に応じて他のビニルモノマーを共重合することもできる。本発明において用いられる感温吸排水性樹脂２の感温点は、１０〜４０℃のものであるが、異なった感温点を持つ樹脂を混合したもの、あるいは、感温点が１０〜４０℃の間でブロードな樹脂、を用いることが望ましい。
多孔性成型体３は、多孔セラミック、多孔樹脂、繊維成型体等が利用でき、空隙率が５０％以上のものが好ましく、例えば、ゴム系あるいはポリスチレン系、ポリオレフィン系、ポリウレタン系等の合成樹脂発泡体原料に、感温吸排水性樹脂（粉末状）２を０．５〜２容量％添加・混合し、これを発泡、硬化させることにより容易に製造することができる。
【０００９】
一方、カバー部材５は、耐久性のある材料であれば特に限定はなく、木材製、プラスチック製、金属製等を例示することができる。
カバー部材５には通水孔が設けられる。通水孔の大きさ、数は任意であるが、カバー部材表面に通水孔の面積が占める割合が、５〜２０％程度が、水の効果的な供給、上部からの蒸発損失を考慮すると、好ましい。
【００１０】
本発明の装置１において、上方から供給された水は通水孔４を通して下部の多孔性成型体３に供給される。該多孔性成型体３には、感温吸排水性樹脂２が分散されているため、供給された水は主として該感温吸排水性樹脂２に貯水される。温度が上昇し、該感温吸排水性樹脂２の感温点を超えると、該感温吸排水性樹脂から水が排出され、排出された水は本装置１が設置された土壌に供給される。また、カバー部材５によって蒸発損失も極めて少なく、そのため、樹木の必要な時に、長期間にわたって樹木に給水することができる。
【００１１】
本発明の簡易自動灌水装置１の大きさは任意であり、使用する樹木の種類、大きさ等によって選択できるが、一般的には、多孔性成型体３（貯水部）の容量は、５０〜２００Ｌ程度が望ましい。
また、形状も任意であり、設置場所に応じて美観を損なわない形状のものが好ましく、例えば、ツリーサークル（円型、角型、歩道型、等）等を利用することもできる。
本発明の装置１は、例えば図２に示されるように、樹木の根本に置くだけで目的を達する。樹冠が大きく、雨水などの水が供給されにくい場合には、本発明の装置１の周囲に、水を集める集水溝を設けることもできる。
【産業上の利用可能性】
【００１２】
本発明の簡易自動灌水装置は、極めて簡単な構造で施工も容易であり、十分な貯水量を持ち樹木の必要に応じて水を長期間にわたって供給することができ、また、設置場所に合わせた意匠とすることができるため、美観を損なうこともないため、街路樹、公園の樹木等、特に都市部の道路脇のグリーンベルトや公園に植栽された樹木等の灌水に好適に用いることができる。
【図面の簡単な説明】
【００１３】
【図１】本発明の簡易自動灌水装置の一例である。
【図２】本発明の簡易自動灌水装置の設置状態の一例である。
【符号の説明】
【００１４】
１  本発明の自動簡易灌水装置
２  感温吸排水性樹脂
３  多孔性成型体
４  通水孔
５  カバー部材
【図１】
2006280267.tif 000003
【図２】
2006280267.tif 000004